(57)【要約】【課題】フィルターの交換時にこれに付着した生物ろ過に有益な菌種が捨てられても、その菌種の菌床を別に残すことのできる水槽用ろ過器を提供する。【解決手段】水槽Ａの上縁Ｂに係留させるための股部３２を介して槽内側に水汲上げ口３３を、槽外側に汲上げた水のろ過室３４をそれぞれ設け、該ろ過室を通したろ過水が、前記股部とこれに連続する流路板をオーバーフローして槽内に戻るようになっている水槽用ろ過器において、前記流路板を覆う第２流路板２を設け、該第２流路板２にこれをオーバーフローした水で回転するスポンジ状回転体３を軸支し、前記スポンジ状回転体３がろ過バクテリアなどの繁殖を促す菌床となるように構成した。【選択図】      図１
2005052699.tif 000002
【特許請求の範囲】
【請求項１】
水槽の上縁に係留させるための股部を介して槽内側に水汲上げ口を、槽外側に汲上げた水のろ過室をそれぞれ設け、該ろ過室を通したろ過水が、前記股部とこれに連続する流路板をオーバーフローして槽内に戻るようになっている水槽用ろ過器において、前記流路板を覆うように係止できる第２流路板を設け、該第２流路板にこれをオーバーフローした水により回転するスポンジ状回転体を軸支したことを特徴とする水槽用ろ過器。
【請求項２】
前記スポンジ状回転体の軸が、周面に透孔を有する中空体からなり、内部に生物ろ過のためのろ材や水質を調整するためのろ材を収容していることを特徴とする請求項１に記載の水槽用ろ過器。
【請求項３】
前記スポンジ状回転体の軸が、気体を封止した中空体からなることを特徴とする請求項１に記載の水槽用ろ過器。
【発明の詳細な説明】
【０００１】
【発明が属する技術分野】
本発明は、水槽内の水を槽外に導出し、槽外でろ過して槽内に再び戻すように循環移動させる水槽用ろ過器に関するものである。
【０００２】
【従来の技術】
従来の水槽用ろ過器を図４に示す。ろ過器本体３１は水槽Ａの上縁Ｂに係留させるための股部３２を介して槽内側に水汲上げ口３３を、槽外側に汲上げた水のろ過室３４をそれぞれ設け、該ろ過室３４を通したろ過水を、前記股部３２とこれに連続する流路板３５をオーバーフローさせて槽内の水Ｃ中に戻すことができるようになっていた。この場合、ろ過室３４はフィルター（ろ材）３６を介して２つの室３４ａ、３４ｂに分割されており、槽内から汲上げられた水は、まず、第１室３４ａに入り、フィルターでろ過されて第２室３４ｂに入って溢上した水が前述の如くオーバーフローするようになっている。
【０００３】
前記水汲上げ口３３は、前記ろ過室３４の第１室３４ａに基端側を連通したパイプ３７の下端部の周面にスリットとして形成され、槽底に敷かれる砂などを吸い込み難くしている。この水汲上げ口３３からの水の汲上げ力はパイプ３７の途中に連通（連通状態は示していない）して設けたポンプ３８の作動による。
【０００４】
前記フィルター（ろ材）３６は、魚のフンやエサの残渣などの水の汚れをカットする物理的ろ過、水の濁りや悪臭を吸着する吸着ろ過、さらに、ろ過バクテリアの繁殖を促し、有害なアンモニアや亜硝酸を分解する生物ろ過ができる機能を備えているとよい。
【０００５】
前記股部３２に連続する流路板３５は、その流路面３５ａをなだらかにするとともに、下端部に段部３５ｂを設け、前記フィルター（ろ材）３６によりろ過されて前記股部３２とこれに連続する流路板３５をオーバーフローして槽内の水面に落下するときの水音（騒音）を可及的に軽減できるようにしている。
【０００６】
【発明が解決しようとする課題】
しかしながら、上記従来のろ過器本体３１では、前記フィルター（ろ材）３６は、適時（２週間〜３週間）に交換されるが、その交換に際し、その時期までの間にフィルターの表面に繁殖したろ過バクテリアなどの生物ろ過に有益な菌種も同時に捨てられてしまっていた。しかも、上記従来のろ過器本体３１では、前記フィルター（ろ材）３６以外にこのような有益な菌種を繁殖させる菌床の備えが無いのが現状であった。
【０００７】
また、前述の如く、流路板３５の流路面３５ａをなだらかに構成するなどし、これをオーバーフローして槽内の水面に落下するときの水音による騒音を軽減することは室内環境の向上のためには有益であったが、大気中の酸素を槽内の水に取り込み、溶解させるエァレーション効果については殆ど期待できなかった。
【０００８】
本発明は、上記種々の課題を一挙に解消するためのもので、その目的とするところは、フィルター（ろ材）がその交換時に捨てられても生物ろ過に有益な菌種を継続して保つことができ、しかも、高いエァレーション効果が期待できる水槽用ろ過器を提供することにある。
【０００９】
【課題を解決するための手段】
上記目的を達成するため、本発明に係る水槽用ろ過器は、水槽の上縁に係留させるための股部を介して槽内側に水汲上げ口を、槽外側に汲上げた水のろ過室をそれぞれ設け、該ろ過室を通したろ過水が、前記股部とこれに連続する流路板をオーバーフローして槽内に戻るようになっている水槽用ろ過器において、前記流路板を覆うように係止できる第２流路板を設け、該第２流路板にこれをオーバーフローした水により回転するスポンジ状回転体を軸支したことを特徴とし、前記フィルターが、その交換時に捨てられても、該フィルターに代わってスポンジ状回転体がろ過バクテリアなどの繁殖を促す菌床となるとともに、回転するスポンジ状回転体によるエアレーション効果が期待できるように構成した。
【００１０】
また、請求項２に記載の発明に係る水槽用ろ過器は、前記スポンジ状回転体の軸が、周面に透孔を有する中空体からなり、内部に生物ろ過のためのろ材や水質を調整するためのろ材を収容していることを特徴とし、槽内の水の濁りや悪臭などの除去、水質の調整などが同時に達成できるように構成した。
【００１１】
また、請求項３に記載の発明に係る水槽用ろ過器は、前記スポンジ状回転体の軸が、気体を封止した中空体からなることを特徴とし、スポンジ状回転体の浮力を増大できるように構成した。
【００１２】
【発明の実施の態様】
次に、本発明を添付図面に示す実施の態様に基づいて説明する。図１は本願ろ過器の一部切欠斜視図、図２はスポンジ状回転体と軸との関係及び中空軸の構造を示す斜視図、図３は気体を封止したスポンジ状回転体の軸を示す一部切欠斜視図である。なお、図４と同一部分は同一符号で示す。
【００１３】
本願ろ過器１は、図３に示したろ過器本体３１の流路板３５を覆う第２流路板２を備えている。該第２流路板２にはこれを流下するオーバーフロー水を動力源として回転できるスポンジ状回転体３が軸支されている。
【００１４】
前記第２流路板２は、その上端部に前記ろ過器本体３１の股部３２に係止できる係止部４を有している。また、前記第２流路板２の下端側に形成した両サイド板５、５′間には前記スポンジ状回転体３の軸（中空軸）６が軸支されている。前記両サイド板５、５′に設けたスポンジ状回転体３の軸６の軸受孔（両サイド板５′側は隠れている）７は傾斜長孔になっており、水槽内の水面の高さに応じてスポンジ状回転体３の軸支位置が浮力により変動できるようになっている。勿論、軸受孔７は傾斜長孔に形成しなくてもよい。
【００１５】
前記スポンジ状回転体３は、気泡が連続したプラスチック発泡体で筒状（竹輪状）に形成されている（図２参照）。このプラスチック発泡体は、気泡が連続しており、水が自在に浸透し透過できるものであることが好ましい。例えば、前記ろ過器本体３１の水汲上げ口３３を覆うように適用すると、水汲上げ時に砂などの吸い込みを規制できる一種のフィルターとしての機能を備える。勿論、プラスチック発泡体には限定されない。
【００１６】
前記スポンジ状回転体３の中心穴３ａを挿通した軸６は、図２の如く、周面に多数の透孔８を有する中空胴６ａと、その一端面に嵌合できる蓋部６ｂとを備えている。そして中空胴６ａの内部に、生物ろ過のためのろ材や水質を調整するためのろ材などの所望のろ材９を収容して蓋部６ｂで封止できるようになっている。即ち、スポンジ状回転体３を浸透し透過した水を、透孔８を通して軸６内の所望のろ材９に接触させ、これにより槽内の水の濁りや悪臭などの除去、水質の調整などが同時に達成できるようにしている。
【００１７】
一方、前記スポンジ状回転体３の軸６は、図３の如く、周面に透孔８を有しない中空胴６ａ′としてもよい。中空胴６ａ′内に、気体（例えば、空気）Ｋを封止した軸６は、スポンジ状回転体３の浮力を増大させるために寄与できる。これはスポンジ状回転体３を常に水面に位置させ、回転により水槽内の水に酸素を補給するために有効である。
【００１８】
次に、本願ろ過器１の作用を説明する。まず、本願ろ過器１は水槽Ａの上縁Ｂに股部３２を介して係留させる。この股部３２には係止部４を介して第２流路板２が係止されているとともに、その下端側の両サイド板５、５′間にはスポンジ状回転体３が軸支されている。この場合、スポンジ状回転体３の上面の一部は水槽内の水面より露出している。
【００１９】
次に、ポンプ３８を作動させると、水汲上げ口３３から水が汲上げられ、その水がろ過室３４の第１室３４ａに入り、フィルター３６でろ過されて第２室３４ｂを溢上し、第２流路板２をオーバーフローして槽内に戻るとき、前記スポンジ状回転体３を回転させる。
【００２０】
前記スポンジ状回転体３の回転は、大気中の酸素を槽内の水に取り込み、溶解させるエァレーション効果が期待できるし、表面にはろ過バクテリアが繁殖する菌床となる。
【００２１】
したがって、前記ろ過室３４内のフィルター３６を交換するに際して捨ててしまっても、スポンジ状回転体３の表面に繁殖したろ過バクテリアなどを継続して保つことができる。
【００２２】
【発明の効果】
以上のように、本発明に係る水槽用ろ過器は、水槽の上縁に係留させるための股部を介して槽内側に水汲上げ口を、槽外側に汲上げた水のろ過室をそれぞれ設け、該ろ過室を通したろ過水が、前記股部とこれに連続する流路板をオーバーフローして槽内に戻るようになっている水槽用ろ過器において、前記流路板を覆うように係止できる第２流路板を設け、該第２流路板にこれをオーバーフローした水により回転するスポンジ状回転体を軸支したことを特徴としているから、前記フィルターが、その交換時に捨てられても、該フィルターに代わってスポンジ状回転体がろ過バクテリアなどの繁殖を促す菌床となる。また、第２流路板をオーバーフローした水で回転するスポンジ状回転体によるエアレーション効果が期待できるなど各種の優れた効果を奏する。
【００２３】
また、請求項２に記載の発明に係る水槽用ろ過器は、前記スポンジ状回転体の軸が、周面に透孔を有する中空体からなり、内部にゼオライトなどのろ材を収容していることを特徴としているから、槽内の水の濁りや悪臭などの除去、水質の調整などが同時に達成できるという優れた効果を奏する。
【００２４】
また、請求項３に記載の発明に係る水槽用ろ過器は、前記スポンジ状回転体の軸が、気体を封止した中空体からなることを特徴としているから、スポンジ状回転体の浮力を増大でき、したがって、スポンジ状回転体は常に水面位置にて回転することとなり、水槽内の水に空気中の酸素を効率よく補給することができるという優れた効果を奏する。
【図面の簡単な説明】
【図１】本願ろ過器の一部切欠斜視図である。
【図２】スポンジ状回転体とその中空軸を示す斜視図である。
【図３】気体を封止したスポンジ状回転体の軸を示す一部切欠斜視図である。
【図４】従来のろ過器本体の外観斜視図である。
【符号の説明】
１  本願ろ過器
２  第２流路板
３  スポンジ状回転体
３ａ  中心穴
４  係止部
５、５′  両サイド板
６  スポンジ状回転体の軸
６ａ  中空胴
６ｂ  蓋部
６ａ′  周面に透孔を有しない中空胴
７  軸受孔
８  透孔
９  所望のろ材
３１  ろ過器本体
３２  股部
３３  水汲上げ口
３４  ろ過室
３４ａ  第１室
３４ｂ  第２室
３５  流路板
３６  ろ過室内フィルター（ろ材）
３７  パイプ
３８  ポンプ
Ａ  水槽
Ｂ  上縁
Ｃ  水槽内の水
Ｋ  気体
【図１】
2005052699.tif 000003
【図２】
2005052699.tif 000004
【図３】
2005052699.tif 000005
【図４】
2005052699.tif 000006